(57)【要約】【課題】不用意なロック解除を制限される１つの部材によって、その制限の解除からロック解除まで連続した挙動で簡易に操作できるようにする。【解決手段】蓋６の自由端側にロック位置を保持するようにばね２７で付勢して設けられ、蓋６が閉じられたとき栓４の側に設けられた係止部４３に弾性係合して蓋６を閉じ位置にロックするロック部材８と、ロック部材８の外側に位置してロック部材８をばね２７に抗し押動することでロック部材８の係止部４３との係合を外してロックを解除するように蓋６に設けられたロック解除部材３５とを備え、ロック解除部材３５は、蓋天面６ａから突出する上動位置と、蓋天面６ａから突出しない通常位置との間で上下動でき、通常位置ではロック部材８に対する押動を阻止され、上動位置ではロック部材８を押動できるように蓋６に支持されたものとして、上記の課題を解決する。【選択図】図３
2010235138.tif 000002
【特許請求の範囲】
【請求項１】
真空二重構造のボトルの口に着脱できるように装着されて、ボトル内に通じ内容液を流出させ注ぎや直飲みに供する流出部を有した栓と、栓にヒンジ連結されて栓の外まわりを開閉するのに併せ流出部を開閉する蓋とを備え、蓋が閉じられたとき閉じ位置に自動的にロックし、ロック解除操作で前記ロックを解除するボトルの蓋ロック構造において、
ロック機構は、蓋の自由端側にロック位置を保持するようにばねで付勢して設けられ、蓋が閉じられたとき栓の側に設けられた係止部に弾性係合して蓋を閉じ位置にロックするロック部材と、このロック部材の外側に位置してロック部材をばねに抗し押動することでロック部材の前記係止部との係合を外してロックを解除するように蓋に設けられたロック解除部材とを備え、ロック解除部材は、蓋の天面から突出する上動位置と、蓋の天面から突出しない通常位置との間で上下動でき、通常位置ではロック部材に対する押動を阻止され、上動位置ではロック部材を押動できるように蓋に支持されたことを特徴とするボトルの蓋ロック構造。
【請求項２】
真空二重構造のボトルの口に着脱できるように装着されて、ボトル内に通じ内容液を流出させ注ぎや直飲みに供する流出部を有した栓と、栓にヒンジ連結されて栓の外まわりを開閉するのに併せ流出部を開閉する蓋とを備え、蓋が閉じられたとき閉じ位置に自動的にロックし、ロック解除操作で前記ロックを解除するボトルの蓋ロック構造において、
ロック機構は、蓋の自由端側にロック位置を保持するようにばねで付勢して設けられ、蓋が閉じられたとき栓の側に設けられた係止部に弾性係合して蓋を閉じ位置にロックするロック部材と、このロック部材の外側に位置してロック部材をばねに抗し押動することでロック部材の前記係止部との係合を外してロックを解除するように蓋に設けられたロック解除部材とを備え、ロック解除部材は、蓋の天面から突出する上動位置と、蓋の天面から突出しない通常位置との間で上下動でき、通常位置ではロック解除部材を押動するロック解除操作が阻止され、上動位置ではロック部材を押動するロック解除操作ができるように蓋に支持され、ロック解除操作部材は、上動位置での蓋天面からの突出部が、通常位置に下動させ、かつそれに引き続いて蓋の自由端部と協働して閉じ操作する操作部をなしていることを特徴とするボトルの蓋ロック構造。
【請求項３】
真空二重構造のボトルの口に着脱できるように装着されて、ボトル内に通じ内容液を流出させ注ぎや直飲みに供する流出部を有した栓と、栓にヒンジ連結されて栓の外まわりを開閉するのに併せ流出部を開閉する蓋とを備え、蓋が閉じられたとき閉じ位置に自動的にロックし、ロック解除操作で前記ロックを解除するボトルの蓋ロック構造において、
ロック機構は、蓋の自由端側にロック位置を保持するようにばねで付勢して設けられ、蓋が閉じられたとき栓の側に設けられた係止部に弾性係合して蓋を閉じ位置にロックするロック部材と、このロック部材の外側に位置してロック部材をばねに抗し押動することでロック部材の前記係止部との係合を外してロックを解除するように蓋に設けられたロック解除部材とを備え、ロック解除部材は、蓋の天面から突出する上動位置と、蓋の天面から突出しない通常位置との間で上下動でき、通常位置ではロック解除部材を押動するロック解除操作が阻止され、上動位置ではロック部材を押動するロック解除操作ができるように蓋に支持され、ロック部材は、通常位置および上動位置のいずれにあるロック解除操作部材に対しても干渉しない側への動作にて栓側の係止部に弾性係合するようにしたことを特徴とするボトルの蓋ロック構造。
【請求項４】
ロック部材は、蓋に軸で支持されたレバーであって、栓の反ヒンジ連結側に向くように設けられた係止部に対し、下向きのフック部が反ヒンジ連結側から係合して蓋を閉じ位置にロックし、ロック解除部材は、上動位置ではロック部材の尾端部を反ヒンジ連結側からヒンジ連結側に押動して前記ロックを解除する請求項３に記載のボトルの蓋ロック構造。
【発明の詳細な説明】
【技術分野】
【０００１】
本発明は、真空二重構造のボトルの口に着脱できるように装着されて、ボトル内に通じ内容液を流出させ注ぎや直飲みに供する流出部を有した栓と、栓にヒンジ連結されて栓の外まわりを開閉するのに併せ流出部を開閉する蓋とを備え、蓋が閉じられたとき閉じ位置に自動的にロックし、ロック解除操作で前記ロックを解除するボトルの蓋ロック構造に関するものである。
【背景技術】
【０００２】
このようなボトルのロック構造は、真空二重ボトルの優れた断熱性、スリム性を生かし、携帯用の保温、保冷容器として広く利用されるなか、簡易な注ぎ出しや直飲みに便利なように種々工夫され提供されている（例えば、特許文献１〜４参照。）。
【０００３】
特許文献１が開示するロック構造は、栓の側にロックレバーを設けてロック入りを保持するようにばねで付勢し、蓋が閉じられると蓋側の係止部に上向きの先端フックが自動的に弾性係合して、蓋を閉じ位置にロックし、ロックレバーの下向きの尾端部を栓側に押動することで前記ロックを解除するようにしてある。しかし、ロックレバーのロック解除動作を邪魔する位置と内容液を注ぎまたは直飲みするための小流量に適した内尾端部と栓との間に臨んでロックレバーのロック解除操作を邪魔する解除阻止位置と、ロックレバーの尾端部と栓との間から退避してロックレバーをロック解除操作できる退避位置との間で移動するロック解除制限部材を設け、ロック解除制限部材を退避位置に操作した上でロックレバーのロック解除操作ができるようにすることにより、ロックレバーに不用意な外力が働いてロック解除状態になってしまう問題を回避している。
【０００４】
特許文献２に開示の蓋ロック構造は、栓の側閉じられた蓋の自由端部に掛け外しできるように枢支した掛け輪を設け、この掛け輪を閉じた蓋の自由端部に掛けることにより蓋を閉じ位置にロックし、掛け輪を蓋の自由端部から外すことでロックを解除する構造の簡単なものとなっている。
【０００５】
特許文献３に開示の蓋ロック構造は、蓋の自由端側に、蓋が閉じられたときばねの反ヒンジ連結側への付勢により栓側の係止部に弾性係合して蓋を閉じ位置にロックするように支持されたロック部材と、このロック部材の外側に位置してロック部材をばねに抗し内側に押動することでロック部材の係止部との係合を外して前記ロックを解除するように支持されたロック解除部材と、蓋の天面に突出した操作部によりロック解除部材のロック解除操作を邪魔する解除阻止位置と、ロック解除操作を邪魔しない退避位置との間で左右に移動できるように支持したロック解除制限部材とを備え、ロック解除制限部材を退避位置に操作した上でロック部材のロック解除操作ができるようにすることにより、ロックレバーに不用意な外力が働いてロック解除状態になってしまう問題を回避している。
【０００６】
特許文献４に開示の蓋ロック構造は、蓋の自由端側に、蓋が閉じられたときばね付勢により栓側の係止部に自動的に弾性係合して蓋を閉じ位置にロックするロックレバーを設け、このロックレバーのヒンジ連結側に延びる部端部を栓のヒンジ連結側で反ヒンジ連結側に押動することによりロックレバーの係止部との係合を外して前記ロックを解除するロック解除部材とを設けている。
【特許文献１】特開２００５−１９３９４４号公報
【特許文献２】特開２００７−２１７０４２号公報
【特許文献３】特開２００８−２２２２３８号公報
【特許文献４】特開２００３−３２７２６５号公報
【発明の開示】
【発明が解決しようとする課題】
【０００７】
しかし、特許文献１に開示の蓋ロック構造では、ロック解除制限部材を解除阻止位置に移動させておくのを忘れると、ロックレバーは不用意な外力によってロック解除操作されてしまう問題があり、ロック解除制限部材を解除阻止位置に移動されていると、これを下動させてから、ロックレバーの尾端部を栓側に押動するロック解除操作との２つの操作でしかロック解除できないし、２つの操作は異なった部材に対する異なった向きおよび種類の操作となるので、操作に戸惑いを与えスムーズなロック解除の妨げになる。
【０００８】
特許文献２に開示の蓋ロック構造では、１つの掛け輪を閉じた蓋の自由端部に掛け外しするだけのもので、特許文献１に記載のもののように蓋のロック、ロック解除のために、複数の部材が必要なものに対し、構造が簡略化するものの、蓋を閉じるだけで自動的にロックされないので、蓋を閉じる都度、掛け輪を蓋の自由端にいちいち掛ける必要があるし、掛け輪の掛け外しは１８０度のスイング操作となり、外し挙動は掛け輪の自重を利用できるにしても、掛ける挙動は掛け輪を手で１８０度大きくスイングさせなければならない不便がある。
【０００９】
特許文献３に開示の蓋ロック構造では、ロック解除操作部材を省略してロックレバーを直接ロック解除操作できるが、不用意な外力によるロック解除制限部材が必須となり、ロック解除操作が２つの部材に対する異なった向きの２つの操作が必要であり、特許文献１に記載のもの同様、操作に戸惑いを与えスムーズなロック解除の妨げになる。
【００１０】
特許文献４に開示の蓋ロック構造では、ロックレバーとロック解除操作部材との２つの部材を必須としながら、ロック解除操作部材に不用意な外力が働いてロックが解除されてしまう問題が残ったままである。
【００１１】
本発明は、蓋の閉じ状態での自動ロック、手動でのロック解除、不用意なロック解除の制限を、蓋上で実現する２つの部材のうちの、ロック解除を制限される１つの部材によって、その制限の解除からロック解除まで連続した挙動で簡易に操作できるボトルの蓋ロック構造を提供することを課題としている。
【課題を解決するための手段】
【００１２】
上記課題を解決するため、本発明のボトルの蓋ロック構造は、真空二重構造のボトルの口に着脱できるように装着されて、ボトル内に通じ内容液を流出させ注ぎや直飲みに供する流出部を有した栓と、栓にヒンジ連結されて栓の外まわりを開閉するのに併せ流出部を開閉する蓋とを備え、蓋が閉じられたとき閉じ位置に自動的にロックし、ロック解除操作で前記ロックを解除するボトルの蓋ロック構造において、ロック機構は、蓋の自由端側にロック位置を保持するようにばねで付勢して設けられ、蓋が閉じられたとき栓の側に設けられた係止部に弾性係合して蓋を閉じ位置にロックするロック部材と、このロック部材の外側に位置してロック部材をばねに抗し押動することでロック部材の前記係止部との係合を外してロックを解除するように蓋に設けられたロック解除部材とを備え、ロック解除部材は、蓋の天面から突出する上動位置と、蓋の天面から突出しない下動位置との間で上下動でき、下動位置ではロック部材に対する押動を阻止され、上動位置ではロック部材を押動できるように蓋に支持されたことを１つの特徴としている。
【００１３】
このような構成では、蓋が閉じられたとき蓋に支持されているロック部材がばねの付勢によって栓側の係止部に自動的に弾性係合して蓋を閉じ位置にロックするので、蓋が栓の外まわりを覆い、栓の流出部を閉じた状態に保持することができる。ロック位置にあるロック部材の外側に蓋に支持されたロック解除部材が位置して、ロック部材が直接不用意な外力を受けないように保護しながら、自身も、通常、蓋の天面に突出しないように下動した通常位置にあってロック解除操作不能とされていることにより、不用意な外力によっては勿論、人為的な悪戯によってもロック解除操作されないようにできる。この下動した通常位置のロック解除操作部材を、蓋の天面へ突出する上動位置に操作すると蓋への支持構造上、ロック部材に対する押動が可能とされるので、上動操作に続いて内側、つまりロック部材側に操作してロック部材を押動することにより蓋のロック部材による閉じ位置へのロックを解除することができ、ロック解除操作部材をロック解除操作力から解放すると、ロック部材はフリーになるのでばねの付勢によってロック解除操作部材を伴いロック位置に復帰し、ロック解除操作部材を上動位置から通常位置へ復帰させればロック機構全体が初期状態に復帰する。
【００１４】
また、本発明のボトルの蓋ロック構造は、ロック機構は、蓋の自由端側にロック位置を保持するようにばねで付勢して設けられ、蓋が閉じられたとき栓の側に設けられた係止部に弾性係合して蓋を閉じ位置にロックするロック部材と、このロック部材の外側に位置してロック部材をばねに抗し押動することでロック部材の前記係止部との係合を外してロックを解除するように蓋に設けられたロック解除部材とを備え、ロック解除部材は、蓋の天面から突出する上動位置と、蓋の天面から突出しない通常位置との間で上下動でき、通常位置ではロック解除部材を押動するロック解除操作が阻止され、上動位置ではロック部材を押動するロック解除操作ができるように蓋に支持され、ロック解除操作部材は、上動位置での蓋天面からの突出部が、通常位置に下動させ、かつそれに引き続いて蓋の自由端部と協働して閉じ操作する操作部をなしていることを別の特徴としている。
【００１５】
このような構成では、１つの特徴の場合に加え、さらに、蓋のロックを解除して蓋が開き状態にあるままでは、ロック解除操作部材は上動位置にあるが、その蓋の天面からの突出部を操作部として、通常位置に下動させる操作と蓋の自由端側と協働して蓋を閉じる操作とを一連に行える。
【００１６】
本発明のボトルの蓋ロック構造は、また、真空二重構造のボトルの口に着脱できるように装着されて、ボトル内に通じ内容液を流出させ注ぎや直飲みに供する流出部を有した栓と、栓にヒンジ連結されて栓の外まわりを開閉するのに併せ流出部を開閉する蓋とを備え、蓋が閉じられたとき閉じ位置に自動的にロックし、ロック解除操作で前記ロックを解除するボトルの蓋ロック構造において、ロック機構は、蓋の自由端側にロック位置を保持するようにばねで付勢して設けられ、蓋が閉じられたとき栓の側に設けられた係止部に弾性係合して蓋を閉じ位置にロックするロック部材と、このロック部材の外側に位置してロック部材をばねに抗し押動することでロック部材の前記係止部との係合を外してロックを解除するように蓋に設けられたロック解除部材とを備え、ロック解除部材は、蓋の天面から突出する上動位置と、蓋の天面から突出しない通常位置との間で上下動でき、通常位置ではロック部材を押動するロック解除操作が阻止され、上動位置ではロック部材を押動するロック解除操作ができるように蓋に支持され、ロック部材は、通常位置および上動位置のいずれにあるロック解除操作部材に対しても干渉しない側への動作にて栓側の係止部に弾性係合するようにしたことを他の特徴としている。
【００１７】
このような構成では、１つの特徴の場合に加え、さらに、ロック解除操作部材を上動位置に操作しりのに続き蓋のロック解除操作をして蓋を開いた状態とし、その後、ロック解除操作部材を上動位置から通常位置に戻していてもいなくても、蓋を閉じるとロック部材はロック解除操作部材に干渉することなく自動的に係合し蓋を閉じ位置にロックすることができる。
【００１８】
それには、ロック部材は、蓋に軸で支持されたレバーであって、栓の反ヒンジ連結側に向くように設けられた係止部に対し、下向きのフック部が反ヒンジ連結側から係合して蓋
を閉じ位置にロックし、ロック解除部材は、上動位置ではロック部材の尾端部を反ヒンジ連結側からヒンジ連結側に押動して前記ロックを解除するようにするのが好適である。
【００１９】
このような構成では、ロック部材が軸まわりに下向きのフック部が栓側の係止部に対し反ヒンジ連結側から係合する係合位置にばねで保持されて、蓋が閉じられるのと同時に係止部に自動的に係合して蓋を閉じ位置にロックするが、このロックをロック部材の外側に位置して内側に押動しロックを解除させるロック解除操作部材は、ロック位置にあるロック部材の上向きの尾端部を押動してロック解除することになり、ロック位置にあるロック部材の尾端部と通常位置および上動位置の双方において、ロック部材の尾端部に隙間なく当接しロック部材との間で遊びなくロック解除操作する設計条件としも、蓋閉じ時にロック部材がフック部をばねに抗して係止部に一端押し退けられてロック解除操作部材側に一旦近づき、係止部を乗り越えてからフック部が解除操作部材から離れて係止部に係合するときのロックレバーの尾端部は、ロック解除操作部材から離れた後、再度近づくような挙動を呈し、互いが干渉することなく、蓋閉じと同時に蓋を閉じ位置に自動的にロックすることができる。
【００２０】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００２１】
本発明のボトルの蓋ロック構造の１つの特徴によれば、蓋が閉じられたとき蓋上のロック部材がばねの付勢にて栓側の係止部に自動的に弾性係合して蓋を閉じ位置にロックして閉じ状態に保持するが、ロック部材の外側に蓋上のロック解除部材が位置して、ロック部材を不用意な外力から保護しながら、自身も、蓋の天面に突出しない通常位置にて蓋との間でロック解除操作不能とされて、不用意な外力によっては勿論、人為的な悪戯によってもロック解除されることはないので、流出部が開いて内容液や熱が漏れ出てしまうのを防止することができる。しかも、ロック解除操作部材を蓋の天面へ突出する上動位置に操作してロック部材に対し押動できる状態にするのに続き、ロック部材を押動するという、ボトルを把持する片手の親指などにても可能なロック解除操作部材１つによる一連の操作で、戸惑いや手間取りなく簡易に蓋の閉じ位置へのロックを解除することができ使用に便利である。また、蓋６の開き位置からの閉じおよび閉じ位置へのロック操作において、一時、ロック操作解除部材が上動位置のままになっても蓋の天面からの突出によってそれに気付かせやすく早期に対応されやすい利点がある。
【００２２】
また、本発明のボトルの別の特徴の蓋ロック構造によれば、１つの特徴の場合に加え、さらに、蓋のロックを解除して蓋が開かれた状態では、上動位置にあるロック解除操作部材の蓋の天面からの突出部を操作部として、通常位置に下動させる操作と蓋の自由端側と協働して蓋を閉じる操作とを一連に行えるので、これも２つの操作を片手などの一連の挙動にて簡易に行えるし、ロック解除操作部材を通常位置に戻しておくのを忘れるような問題を回避することができる。
【００２３】
本発明のボトルの他の特徴の蓋ロック構造によれば、１つの特徴の場合に加え、さらに、蓋を開いた状態とした後、ロック解除操作部材を通常位置に戻していてもいなくても、蓋を閉じるとロック部材はロック解除操作部材に干渉して相互に損傷することなく自動ロックし、万一、上動位置のまま蓋が閉じ位置にロックされても、蓋の天面からの突出によってそれに気付かせ早期に対応させられる。
【００２４】
それには、ロック部材は、蓋に軸で支持されたレバーであって、栓の反ヒンジ連結側に向くように設けられた係止部に対し、下向きのフック部が反ヒンジ連結側から係合して蓋
を閉じ位置にロックし、ロック解除部材は、上動位置ではロック部材の尾端部を反ヒンジ連結側からヒンジ連結側に押動して前記ロックを解除するようにすることで、部品点数、組立工数の増大やコスト上昇の原因になることなく実現することができる。
【発明を実施するための最良の形態】
【００２５】
以下、本発明の実施の形態に係るボトルの吸気構造につき図１〜図５に１つの具体例を参照して詳細に説明し、本発明の理解に供する。
【００２６】
本実施の形態のボトルは図１に示すように、ステンレス製の内壁及び外壁の間に真空断熱空間２を有する真空二重構造のボトル１と、このボトル１の口部１ａに着脱できるように装着されて、ボトル１内に通じ内容液を流出させ注ぎや直飲みに供する流出部３を有した栓４とを備えている。本例の栓４は、さらに、ボトル１内に通じて内容液の流出時に外部から吸気させる吸気部５を前記流出部３に併設してあるが、吸気部５は特に必須としない。栓４にはヒンジ連結されて栓４の外まわりを開閉する蓋６が閉じ状態で流出部３に併せ吸気部５をもシール部材７を介し開閉し、かつ、閉じ状態でロック機構８１により閉じ位置に自動的にロックされ、ロックはロック解除操作により解除されるようにしたボトル１の蓋ロック構造を有している。
【００２７】
本実施の形態の蓋ロック構造は、図１に示すように、ロック機構８１は、蓋６の自由端側にロック位置を保持するようにばね２７で付勢して設けられ、蓋６が閉じられたとき栓４の側に設けられた係止部４３に弾性係合して蓋６を閉じ位置にロックするロック部材８と、このロック部材８の外側に位置してロック部材８をばね２７に抗し押動することでロック部材８の前記係止部４３との係合を外してロックを解除するように蓋６に設けられたロック解除部材３５とを備え、ロック解除部材３５は、蓋６の天面から図３（ｂ）、図４（ｂ）に示すように突出する上動位置と、図１、図３（ａ）、図４（ａ）に示すように蓋６の天面６ａから突出しない下動位置との間で上下動でき、下動位置ではロック部材８に対する押動を阻止され、上動位置ではロック部材８を押動できるように蓋６に支持されている。
【００２８】
これにより、蓋６が図５（ｂ）に示すような開き状体から、図１、図３（ａ）または（ｂ）に示すように閉じられたとき、蓋６に支持されているロック部材８がばね２７の付勢によって栓４側の係止部４３に自動的に弾性係合して蓋６を閉じ位置にロックするので、蓋６が栓４の外まわりを覆い、栓４の流出部３や吸気部５を閉じた状態に保持することができる。ロック位置にあるロック部材８の外側に蓋６に支持されたロック解除部材３５が位置して、ロック部材８が直接不用意な外力を受けないように保護しながら、自身も、通常、蓋６の天面６ａに突出しないように下動した通常位置にあってロック解除操作不能とされていることにより、不用意な外力によっては勿論、人為的な悪戯によってもロック解除操作されないようにできる。この下動した通常位置のロック解除操作部材３５を、図１、図３（ａ）に示す通常位置から図３（ｂ）に示す蓋６の天面６ａへ突出する上動位置に操作すると、蓋６への支持構造上、ロック部材８に対する押動が可能とされるので、上動操作に続いて内側、つまりロック部材８側に操作してロック部材８を押動することにより、図５（ａ）に示すように蓋６のロック部材８による閉じ位置へのロックを解除することができ、ロック解除操作部材３５をロック解除操作力から解放すると、ロック部材８はフリーになるのでばね２７の付勢によってロック解除操作部材３５を伴い図５（ｂ）に示すように蓋６上でロック位置に復帰し、ロック解除操作部材３５を上動位置から通常位置へ復帰させれば、蓋６が開いた状態でロック機構８１全体が初期状態に復帰する。
【００２９】
以上の結果、蓋６が閉じられたとき蓋６上のロック部材８がばね２７の付勢にて栓４側の係止部４３に自動的に弾性係合して蓋６を閉じ位置にロックして閉じ状態に保持するが、ロック部８の外側に蓋６上のロック解除部材３５が位置して、ロック部材３５を不用意な外力から保護しながら、自身も、蓋６の天面６ａに突出しない通常位置にて蓋６との間でロック解除操作不能とされて、不用意な外力によっては勿論、人為的な悪戯によってもロック解除されることはないので、流出部が開いて内容液や熱が漏れ出てしまうのを防止することができる。しかも、ロック解除操作部材３５を蓋６の天面６ａへ突出する上動位置に操作してロック部材８に対し押動できる状態にするのに続き、ロック部材８を押動するという、ボトル１を把持する片手の親指などにても可能なロック解除操作部材３５１つによる一連の操作で、戸惑いや手間取りなく簡易に蓋の６閉じ位置へのロックを解除することができ使用に便利である。また、蓋６の開き位置からの閉じおよび閉じ位置へのロック操作において、一時、ロック操作解除部材３５が上動位置のままになっても蓋６の天面からの突出によってそれに気付かせやすく、早期に通常位置に戻すように対応させられる利点がある。
【００３０】
また、ロック解除操作部材３５は、上動位置での蓋天面６ａからの突出部が、通常位置に下動させ、かつそれに引き続いて蓋６の自由端部６ｂと協働して図５（ｂ）に白抜き矢印で示すように閉じ操作する操作部３５ａをなしている。これにより、蓋６のロックを解除して蓋６が図５（ｂ）のような開き状態にあるままでは、ロック解除操作部材３５は上動位置にあるが、その蓋６の天面６ａからの突出部を操作部３５ａとして、通常位置に下動させる操作と蓋６の自由端６ｂ側と協働して蓋６を閉じる操作とを一連に行える。従って、蓋６のロックを解除して蓋６が開かれた状態では、上動位置にあるロック解除操作部材３５の蓋６の天６ａからの突出部を操作部３５ａとして、通常位置に下動させる操作と蓋６の自由端６ｂ側と協働して蓋６を閉じる操作とを一連に行えるので、これも２つの操作を片手などの一連の挙動にて簡易に行えるし、ロック解除操作部材３５を通常位置に戻しておくのを忘れるような問題を回避することができる。
【００３１】
さらに、ロック解除部材３５は既述したように、蓋６の天面６ａから突出する上動位置と、蓋６の天面から突出しない通常位置との間で上下動でき、通常位置ではロック部材８を押動するロック解除操作が阻止され、上動位置ではロック部材８を押動するロック解除操作ができるように蓋６に支持されるのに対し、ロック部材８は、通常位置および上動位置のいずれにあるロック解除操作部材３５に対しても、干渉しない側への動作にて栓４側の係止部４３に弾性係合するようにしている。これにより、ロック解除操作部材３５を上動位置に操作するのに続き蓋６のロック解除操作をして蓋６を開いた状態とし、その後、ロック解除操作部材３５を上動位置から通常位置に戻していてもいなくても、蓋６を閉じるとロック部材８はロック解除操作部材３５に干渉することなく自動的に係合し蓋を閉じ位置にロックすることができる。従って、蓋６を開いた状態とした後、ロック解除操作部材３５を通常位置に戻していてもいなくても、蓋６を閉じるとロック部材８はロック解除操作部材３５に干渉して相互に損傷することなく自動ロックし、万一、上動位置のまま蓋６が閉じ位置にロックされても、蓋６の天面６ａからの突出によってそれに気付かせ早期に対応させられる。
【００３２】
これを実現するのに、本実施の形態では、ロック部材８は、蓋６に軸２６で支持されたレバーであって、栓４の軸２５により蓋６をヒンジ連結した反ヒンジ連結側に向くように設けられた係止部４３に対し、下向きのフック部８ａが反ヒンジ連結側から図１、図３（ａ）に示すように係合して蓋６を閉じ位置にロックし、ロック解除部材３５は、上動位置ではロック部材８の尾端部８ｂを反ヒンジ連結側からヒンジ連結側に押動して前記ロックを解除するようにしている。これにより、ロック部材８が軸２６まわりに下向きのフック部８ａが栓４側の係止部４３に対し反ヒンジ連結側から係合する係合位置にばねで保持されて、ロック解除操作部材３５との間にロック解除隙間Ｓ１を確保し、蓋６が閉じられるのと同時に係止部４３にロック解除隙間Ｓ１を利用した一時的な押し退けの自由を得て自動的に係合して蓋６を閉じ位置にロックするが、このロックをロック部材８の外側に位置して内側に押動しロックを解除させるロック解除操作部材３５は、ロック位置にあるロック部材８の上向きの尾端部８ｂを押動してロック解除することになり、ロック位置にあるロック部材８の尾端部８ａと通常位置および上動位置の双方において、ロック部材の８尾端部８ｂに図１に示すように隙間なく当接しロック部材８との間で遊びなくロック解除操作する設計条件としも、蓋閉じ時にロック部材８がフック部８ａをばねに抗して係止部４３に一端押し退けられてロック解除操作部材３５側にフック部８ａが前記ロック解除隙間Ｓ１内で一旦近づき、係止部４３を乗り越えてからフック部８ａが解除操作部材３５から離れて係止部４３に係合するときのロックレバー８の尾端部８ｂは、ロック解除操作部材３５から離れた後、再度近づくような挙動を呈し、互いが干渉することなく、蓋閉じと同時に蓋６を閉じ位置に自動的にロックすることができる。部品点数、組立工数の増大やコスト上昇の原因になることなく実現する。
【００３３】
さらに詳述すると、栓４は樹脂製で、図２（ａ）に示すようにロック機構８を収容する凹部８２が反ヒンジ連結側、つまり前部側に設け、この凹部８２内に樹脂製のロック部材８３装着してある。ロック部材８は両側に一体成形した外向きの腕片８３ａを凹部８２内の両側に設けた軸受凹部８２ａに軸部２６を弾性係合して枢支されている。また、ロック部材８の外側には図２（ｂ）に示す樹脂製の樹脂ばね部材８４を、図２（ｃ）に示す上部のフック片８４ａと下部両側のフック片８４ｂを凹部８２の図１、図２（ａ）、図３、図４に示す上部の係止穴８２ｂおよび両側下部の係止凹部８２ｃに弾性係合して図２（ｂ）に示すように取り付け、両側フック片８４ｂおよび両側係止凹部８２ｃの係合部を中心に、フック片８４ａの係止穴８２ｂへの内側、つまり後部側への入り込みを伴い後部側に傾けるようにしてあり、この樹脂ばね部材８４には、その図２（ｂ）に示す両側の窓８４ｃの口縁にロック解除操作部材３５の両側の例えば二股としたフック片３５ｂを図２（ｃ）に示すように弾性係合して上下動できるように保持してある。これにより、ロック解除操作部材３５は、栓４が備える樹脂ばね部材８４上で、窓８４ｃの口縁にそって既述の通常位置と上動位置との間でスライドできるし、樹脂ばね部材８４の後傾を伴いロック部材８をばね２７に抗し内側、つまり後部側に応動する録解除操作が可能になる。また、ロック解除操作部材３５はロック解除操作から解放されると、ロック部材８をフリーにするのでロック部材８がばね２７の復元によってロック部材８を樹脂ばね部材８４およびロック操作解除部材３５の初期位置への押し戻しを伴いロック位置に復帰させられる。また、ロック操作解除部材３５は、窓８４ｃ内に設けた樹脂ばね凸部８４ｄとの弾性係合によって、樹脂ばね凸部８４ｄ下となる通常位置と、樹脂ばね凸部８４ｄ上となる上動位置とに安定させられるようになっており、通常位置と上動位置との間の移動は樹脂ばね凸部８４ｄを一時的に弾性的に押し退けてのクリック操作となる。しかし、このようなロック機構８の支持構造は１つの具体例であって必須とするものではない。
【００３４】
さらに、ロック解除操作部材３５は、通常位置では図１、図３（ａ）、図４（ａ）に示すように蓋６の側周面６ｃに面一となる逆Ｌ字形状としてあり、操作部３５ａがロック解除操作部材３５の上端で反ヒンジ連結部側、つまり後部側に折曲した形態をなして、蓋６の天面６ａと協働しての、ロック解除操作部材３５自体の押し下げ操作、蓋６の閉じ操作を受けやすく、かつ、操作部３５ａおよび蓋６の天面６ａが面一になってそれらの操作が終了することで落ち着くので、いずれの操作も不足なく完結しやすい。また、ロック解除操作部材３５の操作部３５ａは下動した通常位置で蓋６の天面６ａと面一になることで、操作部３５ａが蓋６の天板と突き合わせ状態になるので、この突き合わせ構造にて蓋６はロック解除操作部材３５が後部側にロック解除操作されるのを阻止するストッパ機構となっている。また、このストッパ機構の働きを確実なものとするのに、ロック解除操作部材３５の通常位置への下動操作が過剰になるのを蓋６の凹部８２の上端縁に操作部３５ａを下方から蓋６の天面６ａと面一になるように受け止める段部８２ｄを設けてある。これにより、操作部３５ａおよび蓋６の自由端を手のひらで単純に押し下げるだけで、ロック解除操作部材３５の通常位置への下動操作および蓋６の閉じ操作が瞬時かつ確実に終え、操作部３５ａおよび蓋６の天面６ａが必ず面一になるので、双方に段差ができて不体裁になることはない。また、ロック解除操作部材３５の前面上部には横一文字の操作凸条３５ｃを設けて上下スライド時の指掛け部とし、スライドウ操作しやすくしている。
【００３５】
吸気部５は、その少なくとも蓋６側への環状または筒状の空気口部がシール部材１１よりなり、蓋６がロック部材８によりロックされる図１に示す閉じ位置に至る前から蓋６に当接して蓋６が閉じ位置に至るまでの圧縮を伴いシール状態に閉じられ、蓋６のロック解除により復元して蓋６を前記ロックされる閉じ位置外へ押し開くようにしている。これにより、ボトル１の口１ａに装着された栓４が吸気部５を通じた外気のボトル１内への吸気を伴い、流出部３を通じた内容液のスムーズな流出を図れるようにしながら、蓋６の閉じ状態では閉じ位置にロックされた蓋６によって流出部３および吸気部５共に閉じられるようにするが、吸気部５は、流出部３から独立して、少なくとも蓋６側に突出する環状または筒状の吸気口部がシール部材７を吸気部５側で独立してなすシール部材１１よりなり、蓋閉じ時には、蓋６がロック部材８によりロックされる閉じ位置手前から蓋６と当接して閉じ位置までの環状または筒状での圧縮を伴いシール圧を生じて閉じられるので液漏れ、熱漏れを防止することができるし、蓋６のロック解除により復元して蓋６をロック手段８によりロックされる閉じ位置外へ押し開くので、ロック部８がロック解除後即時に解除操作から解放されても蓋６を再度ロックすることを回避することができる。
【００３６】
結果、栓４の流出部３に吸気部５を併設して吸気を伴い内容液のスムーズな流出を図りながら、蓋６の閉じ状態ではシール部材７として、閉じ位置にロックされた蓋６により流出部３に対応した範囲のシール部材１２および吸気部５に対応した範囲のシール部材１１を介し個別に閉じて内容液が流出しないようにするのに、吸気部５の蓋６側に突出する環状または筒状の吸気口部をシール部材１１として、閉じ位置にロックされる蓋６との当接によって変形自由度の高い環状または筒状での十分な圧縮量を無理なく確保したシール状態での閉じ状態に維持されて液漏れ、熱漏れを確実に防止できる上、蓋６のロックが解除されると圧縮状態からの復元により蓋６をロックされる閉じ位置外へ確実に押し開き、ロック部８が即時に解除操作から解放されても蓋６が再ロックされるのを防止した上で、半開き状態になった蓋６に手を掛けるなどして簡易に全開側に開き操作することができる。従って、蓋６を全開位置まで付勢するばねを働かせなくても使用勝手のよいものとなる。もっとも、蓋６を全開位置まで付勢するばねを設けてもよく、その場合、蓋６の急な開きを抑えた働きの緩いばねを採用して、ロック解除時の開き速度が遅くなっても、シール部材１１による蓋６の押し開き作用によって、ロック部材の解除操作からの開放に対して蓋６の開きが遅れて再ロックされるような不都合を回避できる。
【００３７】
また、流出部３は、栓４のボトルの口内に嵌まり合う中栓部４ａ内に凹陥した流出液ガイド部３ａと、この流出液ガイド部３ａの底部３ｂに開口した流出口３ｃと、を有し、吸気部５は、中栓部４ａの流出部３の凹陥部である流出液ガイド部３ａから外れた位置に設けられたものとしている。これにより、流出口部３が、ボトル１の口１ａの内周に嵌まり合う中栓部４ａの内側に凹陥した流出液ガイド部３ａとその底部３ｂの流出口３ｃとを有して、流出口３ｃから流出させた内容液を流出液ガイド３ａの凹陥している範囲の案内で乱れを整えられるし、少なくとも流出液ガイド部３ａと吸気部５の上端開口との間に段差部Ｓを確保するなどして流出液が吸気部５側に流れるのを防止しやすくなる。従って、流出口部３が、中栓部４ａの内側に凹陥した流出液ガイド部３ａの底部３ｂにある流出口３ｃから流出させた内容液を流出液ガイド部３ａの凹陥している範囲の案内で乱れを整えて注ぎ、また直飲みさせるので、注ぎやすく直飲みしやすいものとなるし、流出液が吸気部５側に流れるのを防止して吸気部５が流出水により塞がれ吸気不良となるのを回避しやすい。
【００３８】
さらに、栓４は、ボトル１の口１ａの外側に着脱できるように装着された栓本体部４ｂと、この栓本体部４ｂの内周に環状のシールパッキン２１を介し着脱できるように圧入さ
れる中栓部４ａとを備え、吸気部５は、その少なくとも吸気口部が前記シールパッキン２１に一体成形された弾性を有するシール部材１１よりなり、ロック部材８によりロックされる閉じ位置手前から蓋６と当接して閉じ位置までの圧縮を伴い閉じられ、蓋６のロック解除により復元して蓋６を閉じ位置手前まで押し開くように設けたものとしている。これにより、流出液ガイド部３ａおよび流出口３ｃを持った中栓部４ａが、ボトル１の口１ａの外まわりに着脱できるように装着される栓本体部４ｂの内周に、環状のシールパッキン２１を介し圧入されて、双方間に働くシール圧、シール摩擦にて装着状態が保持されるし、双方間での液漏れを防止することができる上、シール圧、シール摩擦に抗抗し中栓部４ａを栓本体部４ｂの内周から抜き出して互いを独立のものとすることができる。しかも、吸気口部５のシール部材１１は、環状のシールパッキン２１と一体成形されて、部品点数少なく装備することができる。
【００３９】
したがって、流出液ガイド部３ａおよび流出口３ｃを持った中栓部４ａが、ボトル１の口１ａの外まわりに着脱できるように装着する栓本体部４ｂの内周に着脱できるように環状のシールパッキン２１を介し圧入されて、シール圧、シール摩擦により装着状態を維持して一体物として取り扱えるようにしながら、シール圧、シール摩擦に抗して双方を分離して丸洗いなどお手入れしやすくすることができるし、吸気口部５のシール部材１１は環状のシールパッキン２１に一体成形しているので、部品点数、組立工数が少なくコスト上昇を抑えられるし、シール部材を取り外して丸洗いするにも手数が掛からない利点がある。
【００４０】
さらに、栓本体部４ｂは、ボトル１の口１ａの外周に形成したねじ２３に螺着される外周壁４１および口１ａの内周に嵌まり合う内周壁４２と、を備え、これら外周壁４１および内周壁４２は個別の樹脂成形品として成形の自由度を高めて成形しやすくするのに併せ、互いの対向し合うフランジ部どうしを一部重ねて合わせて高周波溶着などして一体化して口１ａに被さるようにしている。外周壁４１の側に蓋６を軸２４によりヒンジ連結する軸受部２５を後部に一体成形して蓋６の後部を開閉できるようにヒンジ連結している。また、内周壁４２の軸受部２５とは反対の前部には、蓋６を閉じ位置にロックするための係止部４３を一体成形し、蓋６が閉じられることによって前記ロック部材８のフック部８ａが自動的に弾性係合して蓋６を閉じ位置にロックできるようにしている。
【００４１】
一方、中栓部４ａは栓本体部４ｂの内周壁４２内周上端にまで環状のシールパッキン２１を介し下方から圧入される上フランジ部３１と、内周壁４２の下端部にシールパッキン２９を介し下方から当接する下部ランジ部３２と、を一体に備え、これら下部フランジ部３２と上部フランジ部３１との間を貫通するように流出部３および吸気部５とが既述の形態を有して一体成形されている。流出部３は中栓部４ａのほぼ前半部に片寄って設けられ、凹陥した流出液ガイド部３ａ、その底部３ｂの流出口３ｃとが形成され、流出部３の後部に上部フランジ部３１および下部フランジ部３２を上下に繋ぐ樹脂通路５ａと、この樹脂通路５ａの上端に繋がり上部フランジ部３１上に、従って蓋６側に筒状に突出した空気口５ｂをなすシール部材１１とで、吸気部５を形成している。
【００４２】
栓本体部４ｂおよび中栓部４ａはシール部材２１を介したシール状態での嵌め合わせ構造上、既述したように一体物として取り扱うことができ、栓本体部４ｂはボトル１の口１ａへの螺着したとき、中栓部４ａの下部フランジ部３２の下端外周に装着したシールパッキン３３がボトル１の口１ａの基部内周部を内側に絞り加工して形成した段部３４に圧接し、栓４と口１ａとの間をシールし内容液が流入しないようにしている。また、栓４全体を単体で取り扱うときも、栓本体部４ｂの内周壁４２と中栓部４ａとの間に液が侵入するのをシール部材２１および２９により防止される。
【００４３】
蓋６はロック部材８とロック解除部材３５を装備した樹脂製の外板６１と、外板６１と
超音波溶着などして一体化した樹脂製の内板６２とで中空に形成し、内板６２に流出液ガイド部３ａに入り込んで下端に装着したすール部材１２で流出口３ｃに圧接してそれをシール状態に閉じる中空突部６２ｂと、吸気口５ｂをなすシール部材１１に圧接してそれをシール状態に閉じる当接部６２ｃとを形成している。シール部材１１およびシールパッキン２１は一体で、シールパッキン２９、３３がそれぞれ単独で装着されている溝などの嵌め合わせ部から着脱できる。
【産業上の利用可能性】
【００４４】
本発明は、携帯用の真空二重構造のボトルの装着された栓に内容液を注ぎまたはおよび直飲みする流出部を持ち、それを開閉する蓋を閉じ位置にロックし、不用意なロック解除がなされないようにしたロック構造に実用して、１つの部材による一連の操作でロック解除操作ができる。
【図面の簡単な説明】
【００４５】
【図１】本発明の実施形態のボトルの１つの蓋ロック構造例を示す断面図である。
【図２】同蓋ロック構造の分解斜視図である。
【図３】同蓋ロック構造の不用意なロック解除を阻止する蓋ロック状態と、ロック解除操作を可能としたロック解除予備操作状態を示す断面図。
【図４】図３の蓋ロック構造の外観斜視図である。
【図５】同蓋ロック構造の蓋のロック解除状態と、ロック解除後の蓋の全開側への開き操作状態と、を示す詳細断面図である。
【符号の説明】
【００４６】
１  ボトル
１ａ  口
２  真空空間
３  流出部
４  栓
６  蓋
６ａ  天面
６ｂ  段部
８  ロック部材
７、１１、１２  シール部材
２４  軸
２７  ばね
３５  ロック解除操作部材
３５ａ  操作部
３５ｂ  フック片
４３  係止部
８１  ロック機構
８２  凹部
８２ａ、８２ｃ  係止凹部
８２ｂ  係止穴
８３  ロック部材支持部材
８３ａ  フック片
８３ｂ  取り付け穴
８４  樹脂ばね部材
８４ａ、８４ｂ  フック片
８４ｃ  窓
８４ｄ  樹脂ばね凸部
【図１】
2010235138.tif 000003
【図２】
2010235138.tif 000004
【図３】
2010235138.tif 000005
【図４】
2010235138.tif 000006
【図５】
2010235138.tif 000007